(57)【要約】【課題】運転者の余裕度に応じて情報を提示する。【解決手段】被情報提示者に提示する情報を決定する情報決定部５１０と、車両情報を取得する車両情報取得部５６６と、車両情報に基づいて車両余裕度を算出する車両余裕度算出部５６４と、車両余裕度のレベルに基づいて、情報を被情報提示者に提示する情報提示部５８０と、を備える、車両の情報提示装置が提供される。この構成により、運転者の余裕度に応じて情報を提示することが可能となる。【選択図】図１
2019191859.tif 000002
【特許請求の範囲】
【請求項１】
被情報提示者に提示する情報を決定する情報決定部と、
車両情報を取得する車両情報取得部と、
前記車両情報に基づいて車両余裕度を算出する車両余裕度算出部と、
前記車両余裕度のレベルに基づいて、前記情報を前記被情報提示者に提示する情報提示部と、
を備えることを特徴とする、車両の情報提示装置。
【請求項２】
前記被情報提示者の年齢を推定する年齢推定部を備え、
前記情報提示部は、推定した前記年齢と前記車両余裕度に基づいて、前記情報を前記被情報提示者に提示することを特徴とする、請求項１に記載の車両の情報提示装置。
【請求項３】
前記車両余裕度のレベルと、前記被情報提示者への前記情報の提示の許可又は不許可との関係を定めた提示許可データベースと、
前記車両余裕度算出部が算出した前記車両余裕度を前記提示許可データベースに当てはめ、前記情報を前記被情報提示者に提示するか否かを判定する提示許可判定部と、を備え、
前記情報提示部は、前記提示許可判定部の判定に応じて前記情報を前記被情報提示者に提示することを特徴とする、請求項１に記載の車両の情報提示装置。
【請求項４】
前記被情報提示者の年齢を推定する年齢推定部を備え、
前記提示許可データベースは、前記年齢及び前記車両余裕度と、前記被情報提示者への前記情報の提示の許可又は不許可との関係を定めており、
前記提示許可判定部は、前記年齢及び前記車両余裕度を前記提示許可データベースに当てはめ、前記情報を前記被情報提示者に提示するか否かを判定することを特徴とする、請求項３に記載の車両の情報提示装置。
【請求項５】
前記提示許可データベースは、前記車両余裕度のレベルを少なくとも２つのカテゴリに分類したデータベースであることを特徴とする、請求項３に記載の車両の情報提示装置。
【請求項６】
前記提示許可データベースは、前記年齢を少なくとも２つのカテゴリに分類したデータベースであることを特徴とする、請求項４に記載の車両の情報提示装置。
【請求項７】
前記年齢に基づいて前記被情報提示者に提示する前記情報を変更する提示情報変更部を備えることを特徴とする、請求項２又は４に記載の車両の情報提示装置。
【請求項８】
前記提示情報変更部は、前記年齢に応じた認知生理特性、又は性別に基づいて前記情報を変更することを特徴とする、請求項７に記載の車両の情報提示装置。
【請求項９】
前記被情報提示者の反応に基づいて前記被情報提示者の情報理解度を算出する情報理解度算出部を備え、
前記提示情報変更部は、前記情報理解度に基づいて前記情報を変更することを特徴とする、請求項７に記載の車両の情報提示装置。
【請求項１０】
前記提示情報変更部は、前記情報の情報強度、情報量、又は表現内容を変更することを特徴とする、請求項７〜９のいずれかに記載の車両の情報提示装置。
【請求項１１】
車両内の複数の乗員の中から前記被情報提示者を特定する被情報提示者特定部を備える、請求項１〜１０のいずれかに記載の車両の情報提示装置。
【請求項１２】
前記被情報提示者の個人認証を行う個人認証部を備え、
前記個人認証に成功した場合、前記提示許可判定部は、前記被情報提示者の年齢によらず前記情報の提示を許可することを特徴とする、請求項４に記載の車両の情報提示装置。
【請求項１３】
特定の人について年齢判定の例外であることを登録した年齢判定例外データベースと、
前記年齢判定例外データベースに登録されている前記被情報提示者に例外判定を行う例外判定部を備え、
前記提示許可判定部は、前記例外判定が行われた前記被情報提示者については、年齢によらず前記情報の提示を許可することを特徴とする、請求項４に記載の車両の情報提示装置。
【請求項１４】
前記年齢判定例外データベースは、外部のサーバとの通信により更新される、請求項１３に記載の車両の情報提示装置。
【請求項１５】
被情報提示者に提示する情報を決定するステップと、
車両情報を取得するステップと、
前記車両情報に基づいて車両余裕度を算出するステップと、
前記車両余裕度のレベルに基づいて、前記情報を前記被情報提示者に提示するステップと、
を備えることを特徴とする、車両の情報提示方法。
【発明の詳細な説明】
【技術分野】
【０００１】
本発明は、車両の情報提示装置及び車両の情報提示方法に関する。
【背景技術】
【０００２】
従来、例えば下記の特許文献１には、話者の年齢に応じて音声により機器を制御させないようにすることを想定した技術が記載されている。
【先行技術文献】
【特許文献】
【０００３】
【特許文献１】国際公開２０１５／０２９３７９号
【発明の概要】
【発明が解決しようとする課題】
【０００４】
しかしながら、車両の運転者に音声で情報を提示する場合に、車両の運転者が運転に対して余裕を持っていないと、音声を提示したことにより運転に対する集中力が無くなる可能性がある。
【０００５】
上記特許文献１に記載された技術では、車両の運転者に情報を提示することは想定しておらず、運転者の余裕度に応じて情報を提示することは困難である。
【０００６】
そこで、本発明は、上記問題に鑑みてなされたものであり、本発明の目的とするところは、運転者の余裕度に応じて情報を提示することが可能な、新規かつ改良された車両の情報提示装置及び車両の情報提示方法を提供することにある。
【課題を解決するための手段】
【０００７】
上記課題を解決するために、本発明のある観点によれば、被情報提示者に提示する情報を決定する情報決定部と、車両情報を取得する車両情報取得部と、前記車両情報に基づいて車両余裕度を算出する車両余裕度算出部と、前記車両余裕度のレベルに基づいて、前記情報を前記被情報提示者に提示する情報提示部と、を備える、車両の情報提示装置が提供される。
【０００８】
前記被情報提示者の年齢を推定する年齢推定部を備え、前記情報提示部は、推定した前記年齢と前記車両余裕度に基づいて、前記情報を前記被情報提示者に提示するものであっても良い。
【０００９】
また、前記車両余裕度のレベルと、前記被情報提示者への前記情報の提示の許可又は不許可との関係を定めた提示許可データベースと、前記車両余裕度算出部が算出した前記車両余裕度を前記提示許可データベースに当てはめ、前記情報を前記被情報提示者に提示するか否かを判定する提示許可判定部と、を備え、前記情報提示部は、前記提示許可判定部の判定に応じて前記情報を前記被情報提示者に提示するものであっても良い。
【００１０】
また、前記被情報提示者の年齢を推定する年齢推定部を備え、前記提示許可データベースは、前記年齢及び前記車両余裕度と、前記被情報提示者への前記情報の提示の許可又は不許可との関係を定めており、前記提示許可判定部は、前記年齢及び前記車両余裕度を前記提示許可データベースに当てはめ、前記情報を前記被情報提示者に提示するか否かを判定するものであっても良い。
【００１１】
また、前記提示許可データベースは、前記車両余裕度のレベルを少なくとも２つのカテゴリに分類したデータベースであっても良い。
【００１２】
また、前記提示許可データベースは、前記年齢を少なくとも２つのカテゴリに分類したデータベースであっても良い。
【００１３】
また、前記年齢に基づいて前記被情報提示者に提示する前記情報を変更する提示情報変更部を備えるものであっても良い。
【００１４】
また、前記提示情報変更部は、前記年齢に応じた認知生理特性、又は性別に基づいて前記情報を変更するものであっても良い。
【００１５】
また、前記被情報提示者の反応に基づいて前記被情報提示者の情報理解度を算出する情報理解度算出部を備え、前記提示情報変更部は、前記情報理解度に基づいて前記情報を変更するものであっても良い。
【００１６】
また、前記提示情報変更部は、前記情報の情報強度、情報量、又は表現内容を変更するものであっても良い。
【００１７】
また、車両内の複数の乗員の中から前記被情報提示者を特定する被情報提示者特定部を備えるものであっても良い。
【００１８】
また、前記被情報提示者の個人認証を行う個人認証部を備え、前記個人認証に成功した場合、前記提示許可判定部は、前記被情報提示者の年齢によらず前記情報の提示を許可するものであっても良い。
【００１９】
また、特定の人について年齢判定の例外であることを登録した年齢判定例外データベースと、前記年齢判定例外データベースに登録されている前記被情報提示者に例外判定を行う例外判定部を備え、前記提示許可判定部は、前記例外判定が行われた前記被情報提示者については、年齢によらず前記情報の提示を許可するものであっても良い。
【００２０】
また、前記年齢判定例外データベースは、外部のサーバとの通信により更新されるものであっても良い。
【００２１】
また、上記課題を解決するために、本発明の別の観点によれば、被情報提示者に提示する情報を決定するステップと、車両情報を取得するステップと、前記車両情報に基づいて車両余裕度を算出するステップと、前記車両余裕度のレベルに基づいて、前記情報を前記被情報提示者に提示するステップと、を備える、車両の情報提示方法が提供される。
【発明の効果】
【００２２】
以上説明したように本発明によれば、運転者の余裕度に応じて情報を提示することが可能となる。
【図面の簡単な説明】
【００２３】
【図１】本発明の一実施形態に係るシステムの構成を示す模式図である。
【図２】制御装置で行われる処理を示すフローチャートである。
【図３】年齢カテゴリデータベースの例を示す模式図である。
【図４】提示許可・不許可データベースの内容を示す模式図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
図１は、本発明の一実施形態に係るシステム１０００の構成を示す模式図である。このシステム１０００は、自動車などの車両に搭載される。図１に示すように、システム１０００は、マイクロフォン１００、カメラ２００、ディスプレイ３００、スピーカ３１０、ＣＡＮ（Ｃｏｎｔｒｏｌｌｅｒ  Ａｒｅａ  Ｎｅｔｗｏｒｋ）４００、制御装置（情報提示装置）５００を備えている。
【００２６】
マイクロフォン１００、カメラ２００、ディスプレイ３００、スピーカ３１０は、車両の室内に配置されている。マイクロフォン１００は、室内の音声、主に乗員の音声を取得する。マイクロフォン１００は、室内に複数設けられていても良い。カメラ２００は、可視光カメラ、赤外線カメラ等から構成され、主に乗員の顔を撮像する。ディスプレイ３００は、室内の乗員が視認できる位置に配置され、情報を表示することで乗員に対して情報を提示すると共に、タッチパネルで情報の入力を行う。スピーカ３１０は、室内に配置され、乗員に対して音声により情報を提示する。
【００２７】
制御装置５００は、提示情報決定部５１０、被提示者特定部５２０、例外処理部５３０、年齢推定部５４０、年齢カテゴリ判定部５５０、年齢制限設定部５５２、年齢カテゴリデータベース５５４、提示許可判定部５６０、提示許可・不許可データベース５６２、車両余裕度算出部５６４、車両情報取得部５６６、提示情報変更部５７０、情報変化量決定部５７２、簡易表現データベース５７３、認知生理特性データベース５７４、情報理解度算出部５７６、性別推定部５７８、反応取得部５７９、情報提示部５８０、を有して構成されている。
【００２８】
例外処理部５３０は、個人認証部５３２、年齢判定例外判定部５３４、年齢判定例外データベース５３６を有している。なお、図１に示す制御装置５００の各構成要素は、回路（ハードウェア）、又はＣＰＵなどの中央演算処理装置とこれを機能させるためのプログラム（ソフトウェア）から構成される。
【００２９】
システム１０００は、外部のサーバ６００と通信可能とされている。通信方法として、例えばＢｌｕｅｔｏｏｔｈ（登録商標）、ＷｉＦｉ、４Ｇ等の方法を用いることができる。なお、通信方式は特に限定されるものではない。
【００３０】
システム１０００が備える年齢判定例外データベース５３６、年齢カテゴリデータベース５５４、提示許可・不許可データベース５６２、簡易表現データベース５７３、認知生理特性データベース５７４などのデータベースに蓄積されたデータは、外部のサーバ６００と通信を行うことにより、サーバ６００からダウンロードされたものであっても良い。
【００３１】
また、これらのデータベースに蓄積されたデータは、サーバ６００（クラウド）側で保持していても良い。その場合、システム１０００は、データを使用する際にサーバ６００にアクセスし、データを取得する。
【００３２】
本実施形態では、以上のように構成されたシステム１０００により、車両から乗員に対して各種情報を提示する場合に、カメラ２００やマイクロフォン１００で取得した情報に基づいて被情報提示者の年齢を推定し、被情報提示者の年齢に応じて情報の提示を行う。本実施形態では、このような処理を行うことで、年齢に応じた最適な情報提示を実現可能とする。
【００３３】
提示する情報の例としては、様々な情報を挙げることができる。一例として、提示する情報としては、乗員からの質問に対する回答、運転者に休憩を促す情報、車両の故障発生を示す情報などが挙げられる。また、後述するように、衝突予知情報、飲食店情報、エンターテインメント情報、酒屋情報などを提示することもできる。このように、提示する情報は特に限定されるものではない。なお、エンターテインメント情報は、娯楽、気晴らし等に関する情報である。
【００３４】
また、情報提示の方法としては、ディスプレイ３００への表示等による画面出力、スピーカ３１０による音声出力、乗員が着座するシート等への振動の付与、匂い、質感の変化、等が挙げられる。情報提示の方法についても、特に限定されるものではない。
【００３５】
図２は、制御装置５００で行われる処理を示すフローチャートである。先ず、ステップＳ１０では、年齢判定例外データベース５３６の情報を取得する。次のステップＳ１２では、車両から乗員に対して提示する情報があるか否かを判定する。車両から乗員に対して提示する情報がある場合は、ステップＳ１４へ進み、提示情報決定部５１０が乗員に提示する情報を決定する。一方、車両から乗員に対して提示する情報がない場合は、ステップＳ１２で待機する。
【００３６】
次のステップＳ１６では、被提示者特定部５２０が、被情報提示者を特定し、個人認証部５３２により発話者の個人認証を行う。個人認証部５３２は、被提示者特定部５２０によって特定された被情報提示者について個人認証を行う。
【００３７】
個人認証は、例えば、指紋認証、虹彩認証、顔認証等の手法によって行われる。これらの認証方法は、公知の手法を適宜用いることができる。例えば、指紋認証については特許第２７７２２８１号に記載されている手法を、虹彩認証については特許第３８５２６１７号に記載されている手法を、顔認証については特開２００２−１８３７３４号公報に記載されている手法を、適宜用いることができる。
【００３８】
より好適には、個人認証は、乗員が車両に乗り込んだ際に行われる。この際、ステップＳ１６では、被提示者特定部５２０によって特定された被情報提示者について、乗車時に既に行われている個人認証の結果を適用する。
【００３９】
次のステップＳ１８では、車両情報取得部５６６が、ＣＡＮ４００から車両情報を取得する。ここで、車両情報は、例えば車両速度、地図情報、車両周囲の混雑状況、車両周囲の視界、ステアリングホイールの操舵角、天候、ナビゲーション装置等の情報を含む。車両速度は、車速センサから求まる。車両周囲の混雑状況、車両周囲の視界は、カメラ２００が車両の周囲を撮像して得られる撮像画像から取得できる。操舵角は、操舵角センサから求まる。天候は、車両が外部のサーバ６００等と通信して得られる天候に関する情報から求まる。なお、車両情報は、車両の運転に全般に関わる情報であり、これらの情報に限定されるものではない。
【００４０】
次のステップＳ２０では、ステップＳ１４の個人認証の結果を受けて、例外処理部５３０による処理を行う。上述したように本実施形態では、被情報提示者の年齢に応じて情報の提示を行う。しかし、例えば車両の所有者が被情報提示者である場合など、年齢によらず無条件に情報提示が許可される人に対しては、年齢推定の処理を行う必要はない。例外処理部５３０では、情報提示が無条件に許可される特定の人に対しては、個人認証の結果に基づいて例外処理を行い、情報提示を許可する。これにより、システム１０００の処理を簡略化することができる。
【００４１】
また、ステップＳ２０では、年齢判定例外判定部５３４が、ステップＳ１０で取得した年齢判定例外データベース５３６に発話者が登録されているか否かを判定する。年齢判定例外データベース５３６には、例外処理が適用される人の氏名、年齢などの情報と、個人認証に用いられる指紋、虹彩、顔等の個人認証情報とが紐付けられて保存されている。
【００４２】
年齢判定例外判定部５３４は、個人認証の結果に基づき、被情報提示者の指紋、虹彩、顔などの個人認証情報と年齢判定例外データベース５３６に登録されている個人認証情報が一致する場合は、被情報提示者が年齢判定例外データベース５３６に登録されている人であると判定する。この場合、被情報提示者の情報が年齢判定例外データベース５３６に登録されているため、被情報提示者に例外処理を適用し、年齢推定部５４０による発話者の年齢推定は行われない。従って、ステップＳ２０の後は、ステップＳ２８へ進む。また、年齢判定例外データベース５３６に登録されている発話者の年齢に基づいて、ステップＳ３０以降の処理に進むこともできる。
【００４３】
一方、ステップＳ２０で個人認証に失敗した場合、または被情報提示者が年齢判定例外データベース５３６に登録されていない場合は、例外処理を適用せずに通常処理を行うため、ステップＳ２２へ進む。ステップＳ２２では、車両余裕度算出部５６４が、車両情報取得部５６６が取得した車両情報に基づいて車両余裕度を算出する。車両余裕度は、車両が運転されている状態での車両の余裕度を表すパラメータであり、例えば０〜１．０の値に設定される。一例として、車両余裕度は、車両速度に応じて、車両速度が６０ｋｍ／ｈ以上の場合は０．５、車両速度が８０ｋｍ／ｈ以上の場合は０．３、車両速度が１００ｋｍ／ｈ以上の場合は０、のように設定される。
【００４４】
また、車両余裕度は、車両周囲の混雑状況に応じて、車両の周囲５ｍ以内に他車が存在する場合は０．５、車両の周囲３ｍ以内に他車が存在する場合は０．３、車両の周囲１．５ｍ以内に他車が存在する場合は０、のように設定される。
【００４５】
また、車両余裕度は、車両の周囲の視界（見通し）に応じて、カーブの前では０．３、車両が狭い路地を走行している場合は０．１、のように設定される。また、車両余裕度は、ステアリングホイールの操舵角に応じて、操舵角が１０°以上の場合は０．７、操舵角が９０°以上の場合は０、のように設定される。また、車両余裕度は、天候に応じて、天候が小雨の場合は０．８、豪雨の場合は０．１、吹雪の場合は０、のように設定される。
【００４６】
車両余裕度は、上述した車両速度、混雑状況、視界、操舵角、天候に応じた値を乗算して算出することもできる。車両余裕度の値が小さいほど車両の運転状態に余裕がなく、外乱が入ると運転に支障が生じる場合がある。
【００４７】
ステップＳ２２の後はステップＳ２４へ進む。ステップＳ２４では、年齢推定部５４０が被情報提示者の年齢を推定する。年齢推定部５４０は、被情報提示者の顔の特徴量、声の特徴量、呼吸の特徴量、行動分析または嗜好分析の結果等に基づいて、被情報提示者の年齢を推定する。なお、顔の特徴量に基づく年定推定は、例えば特許第５８２７２２５号公報に記載されている方法を適用することができる。また、呼吸の特徴量に基づく年齢推定は、例えば特許第５６３７５８３号公報に記載されている方法を適用することができる。
【００４８】
ステップＳ２４の後はステップＳ２６へ進む。ステップＳ２６では、被情報提示者の年齢が規定年齢以上であるか否かを判定する。被情報提示者の年齢が規定年齢以上の場合は、被情報提示者が十分に成熟しており、情報の提示に制限をかける必要はない。従って、被情報提示者の年齢が規定年齢以上の場合はステップＳ２８へ進み、提示する情報に制限をかけることなく情報提示を行う。ステップＳ２６の規定年齢は、年齢制限設定部５５２により設定される。例えば、規定年齢が５０歳に設定されると、発話者が５０歳以上の場合は年齢による操作の制限は行われない。
【００４９】
一方、ステップＳ２６で被情報提示者の年齢が規定年齢未満の場合は、ステップＳ３０へ進む。ステップＳ３０では、ステップＳ２４における年齢の推定結果に基づいて、年齢カテゴリ判定部５５０が、年齢カテゴリデータベース５５４を参照し、年齢のカテゴリを判定する。図３は、年齢カテゴリデータベース５５４の例を示す模式図である。年齢カテゴリ判定部５５０は、図３に示す年齢カテゴリデータベース５５４を参照して、例えば年齢の推定結果が３０歳〜３９歳の場合は、年齢カテゴリを“９”とする。
【００５０】
ステップＳ３０の後はステップＳ３２へ進む。ステップＳ３２では、提示許可判定部５６０が、被情報提示者に情報を提示可能であるかを判定し、情報を提示可能な場合はステップＳ３４へ進む。
【００５１】
ステップＳ３４では、提示情報変更部５７０が、提示する情報を変化させる。提示情報変更部５７０は、情報変化量決定部５７２が決定した情報の変化量に基づいて、提示する情報の情報強度、情報量、表現内容などを変化させる。ステップＳ３４の後はステップＳ２８へ進み、情報提示部５８０が被情報提示者に情報を提示する処理を行う。これにより、情報がディスプレイ３００に表示される
【００５２】
情報変化量決定部５７２は、認知生理特性データベース５７４を参照して、情報強度、情報量、表現内容を決定する。認知生理特性データベース５７４には、認知生理特性として、年齢毎の視覚特性（平均視力、焦点距離等）、年齢ごとの聴覚特性（高感度周波数、必要音量等）、年齢ごとの情報処理特性（情報処理可能量、情報処理速度）が格納されている。情報変化量決定部５７２は、認知生理特性データベース５７４を参照することで、例えば、被情報提示者の年齢が２０代の場合は、音量を５０ｄＢ以上、情報量を２０音節以下とし、被情報提示者の年齢が８０代の場合は、音量を７０ｄＢ以上、情報量を１０音節以下とする。このように、年齢が高齢になるほど、視覚特性、聴覚特性、情報処理能力が低下するため、視覚特性、聴覚特性に低下に応じて提示する情報の音量、音節の数、文字の大きさ等を変更することによって、年齢に応じた最適な情報提示が可能となる。
【００５３】
また、情報変化量決定部５７２は、被情報提示者の年齢に応じて、情報の表現内容を変更する。例えば、若年の被情報提示者、又は高齢の被情報提示者に対しては、表現内容を簡易なものに変更し、被情報提示者へ情報が伝わり易くなるようにする。表現内容の決定は、簡易表現データベース５７３に格納されている簡易表現を参照して行われる。簡易表現データベース５７３には、被情報提示者の年齢と簡易表現とが紐付けて格納されている。
【００５４】
また、情報変化量決定部５７２は、被情報提示者の情報理解度に応じて、情報強度、情報量、表現内容を決定する。このため、情報理解度算出部５７６は、反応取得部５７９が取得した情報に基づいて被情報提示者の情報理解度を算出する。具体的に、反応取得部５７９は、マイクロフォン１００、カメラ２００等から得られる情報に基づいて、ジェスチャー（うなずき、手の動きなど）、目の動き、発話内容等に基づいて被情報提示者の反応を取得する。そして、情報理解度算出部５７６が、被情報提供者の反応に応じて、被情報提示者の情報理解度を算出する。例えば、情報理解度算出部５７６は、反応取得部５７９が取得した被情報提示者の反応に基づき、被情報提示者がうなずく動作をする場合は、理解度が高いと判定する。一方、情報理解度算出部５７６は、反応取得部５７９が取得した被情報提示者の反応に基づき、被情報提示者が首をかしげる動作をする場合は、理解度が低いと判定する。
【００５５】
更に、情報変化量決定部５７２は、被情報提示者の性別に応じて、情報強度、情報量、表現内容を決定する。このため、性別推定部５７８により被情報提示者の性別を推定する。情報変化量決定部５７２は、被情報提示者が男性であるか女性であるかに応じて、情報強度、情報量、表現内容を変更する。性別推定部５７８による性別の判定は、カメラ２００で撮像した顔画像の特徴量、マイクロフォン１００で取得した声の特徴量、カメラ２００で撮像した撮像画像から推定した乗員の筋肉量、乗員の行動または嗜好の分析結果、等に基づいて行われる。
【００５６】
また、ステップＳ３２で情報を提示可能でない場合はステップＳ３６へ進む。ステップＳ３６では、該当する情報を提示できない旨を被情報提示者に提示する。ステップＳ３６の後は処理を終了する。
【００５７】
提示許可判定部５６０により情報の提示が可能か否かを判定する際には、被情報提示者の年齢と車両余裕度に基づいて、提示許可・不許可データベース５６２を参照して判定が行われる。
【００５８】
図４は、提示許可・不許可データベース５６２の内容を示す模式図である。図４に示すように、提示許可・不許可データベース５６２では、被情報提示者の年齢と、車両余裕度に応じて、情報提示の許可、または不許可が規定されている。図４では、走行中の他の車両等との衝突可能性を示す「衝突検知情報」、周囲の飲食店を示す「飲食店情報」、「エンターテインメント情報」、周囲の酒屋を示す「酒屋情報」の４つを提示する場合を示している。
【００５９】
例えば、車両余裕度が１の場合、被情報提示者の年齢が１８歳〜１９歳であれば、酒屋情報の提示が不許可（×）とされ、それ以外の情報は許可（○）とされる。また、車両余裕度が１の場合、被情報提示者の年齢が情報処理能力が大きく落ちてくる６６歳以上であれば、運転の安全性に寄与しないエンターテインメント情報に情報処理リソースが割かれることを避けるため、エンターテインメント情報の提示が不許可（×）とされ、それ以外の情報は許可（○）とされる。
【００６０】
また、車両余裕度が０．１の場合、提示が不許可とされる情報がより多くなる。全ての年齢において、衝突予知情報の提示は許可されるが、それ以外の情報の提示は不許可とされる。これにより、車両の運転に余裕が無い場合に、情報の提示量を少なくすることで、車両の運転を容易にすることができる。なお、図４では、被情報提示者の年齢と、車両余裕度の双方に応じて、情報提示の許可、または不許可が規定しているが、被情報提示者の年齢と、車両余裕度の一方のみに基づいて情報提示の許可、または不許可が規定しても良い。
【００６１】
以上説明したように本実施形態によれば、被情報提示者の年齢と車両余裕度に基づいて情報の提示の許可、不許可を判定することで、被情報提示者の年齢と、車両余裕度に応じた最適な情報提示を行うことが可能となる。
【００６２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６３】
５００    制御装置
５１０    提示情報決定部
５４０    年齢推定部
５６０    提示許可判定部
５６２    提示許可・不許可データベース
５６４    車両余裕度算出部
５６６    車両情報取得部
５７０    提示情報変更部
５８０    情報提示部
【図１】
2019191859.tif 000003
【図２】
2019191859.tif 000004
【図３】
2019191859.tif 000005
【図４】
2019191859.tif 000006